(57)【要約】【課題】挿入式イヤホンとしてスピーカの振動膜側とヨーク側との両方から試聴可能な両面試聴イヤホンを提供する。【解決手段】実施形態のイヤホン１は、振動膜９と、振動膜９を支持するヨーク１０と、を有し、振動膜９の振動によって発音するスピーカ２と、スピーカ２を収容するケース３と、スピーカ２の振動膜９の側に設けられ、ケース３において振動膜９に面する部分から振動膜９のヨーク１０とは反対側へ向けて突出する筒状をなすとともに、スピーカ２によって発音された音を使用者の耳における外耳道に伝搬させるための第一音通筒体４と、スピーカ２のヨーク１０の側に設けられ、ケース３においてヨーク１０に面する部分からヨーク１０の振動膜９とは反対側へ向けて突出する筒状をなすとともに、スピーカ２によって発音された音を外耳道に伝搬させるための第二音通筒体５と、を備える。【選択図】図７
2020195072.tif 000002
【特許請求の範囲】
【請求項１】
振動膜と、前記振動膜を支持するヨークと、を有し、前記振動膜の振動によって発音するスピーカと、
前記スピーカを収容するケースと、
前記スピーカの前記振動膜の側に設けられ、前記ケースにおいて前記振動膜に面する部分から前記振動膜の前記ヨークとは反対側へ向けて突出する筒状をなすとともに、前記スピーカによって発音された音を使用者の耳における外耳道に伝搬させるための第一音通筒体と、
前記スピーカの前記ヨークの側に設けられ、前記ケースにおいて前記ヨークに面する部分から前記ヨークの前記振動膜とは反対側へ向けて突出する筒状をなすとともに、前記スピーカによって発音された音を前記外耳道に伝搬させるための第二音通筒体と、を備えることを特徴とする両面試聴イヤホン。
【請求項２】
前記第一音通筒体および前記第二音通筒体の一方を前記外耳道に挿入した第一使用状態において第一音声帯域の音質とするとともに、前記第一音通筒体および前記第二音通筒体の他方を前記外耳道に挿入した第二使用状態において前記第一音声帯域とは異なる第二音声帯域の音質とすることを特徴とする請求項１に記載の両面試聴イヤホン。
【請求項３】
前記第一音通筒体は、
前記第一音通筒体を前記外耳道に挿入した第一使用状態において前記外耳道の内壁に当接するための外耳道当接部が設けられ、前記外耳道に指向する第一支持筒部と、
前記ケースにおいて前記振動膜に面する部分と前記外耳道当接部との位置関係を保持するように前記第一支持筒部と前記ケースとを連結する第一連結筒部と、を備えることを特徴とする請求項１または２に記載の両面試聴イヤホン。
【請求項４】
前記第二音通筒体は、
前記第二音通筒体を前記外耳道に挿入した第二使用状態において前記外耳道の内壁に当接するための外耳道当接部が設けられ、前記外耳道に指向する第二支持筒部と、
前記ケースにおいて前記ヨークに面する部分と前記外耳道当接部との位置関係を保持するように前記第二支持筒部と前記ケースとを連結する第二連結筒部と、を備えることを特徴とする請求項１から３のいずれか一項に記載の両面試聴イヤホン。
【請求項５】
前記第一音通筒体および前記第二音通筒体の一方を前記外耳道に挿入した使用状態において、
前記第一音通筒体および前記第二音通筒体の前記一方は、前記ヨークの軸線において前記ケースと重なる部分よりも片側にオフセットするとともに、前記ケースから前記外耳道に向けて傾斜して延びていることを特徴とする請求項１から４のいずれか一項に記載の両面試聴イヤホン。
【請求項６】
前記第一音通筒体の中心を通る第一中心線と前記ヨークの軸線とのなす角度をＡ１とし、前記第二音通筒体の中心を通る第二中心線と前記軸線とのなす角度をＡ２とし、前記第一中心線と前記第二中心線とのなす角度をＡ３としたとき、
前記角度Ａ１および前記角度Ａ２のそれぞれは０度以上９０度以下であり、
前記角度Ａ３は９０度以上１５０度以下であることを特徴とする請求項５に記載の両面試聴イヤホン。
【請求項７】
前記第一音通筒体および前記第二音通筒体の一方に設けられ、前記外耳道の内壁に当接するための外耳道当接部と、
前記第一音通筒体および前記第二音通筒体の他方に設けられ、前記スピーカとは反対側に向けて凸の湾曲状をなして膨出するとともに、前記使用者の耳甲介腔に面する対珠に連なる耳甲介に当接するための耳甲介当接部と、を更に備えることを特徴とする請求項６に記載の両面試聴イヤホン。
【請求項８】
前記耳甲介当接部は、前記第一音通筒体および前記第二音通筒体の前記他方の開口を塞ぐ閉塞部を有することを特徴とする請求項７に記載の両面試聴イヤホン。
【請求項９】
前記耳甲介当接部は、複数の凹部を有することを特徴とする請求項７または８に記載の両面試聴イヤホン。
【請求項１０】
前記第一音通筒体および前記第二音通筒体の一方に着脱可能に設けられ、前記外耳道当接部を有する第一イヤーチップと、
前記第一音通筒体および前記第二音通筒体の他方に着脱可能に設けられ、前記耳甲介当接部を有する第二イヤーチップと、を更に備えることを特徴とする請求項７から９のいずれか一項に記載の両面試聴イヤホン。
【請求項１１】
前記第一音通筒体および前記第二音通筒体の一方は、複数種類のサイズの前記第一イヤーチップが着脱可能とされ、
前記第一音通筒体および前記第二音通筒体の他方は、複数種類のサイズの前記第二イヤーチップが着脱可能とされていることを特徴とする請求項１０に記載の両面試聴イヤホン。
【請求項１２】
前記外耳道当接部は、前記第一音通筒体および前記第二音通筒体の一方と一体に形成され、
前記耳甲介当接部は、前記第一音通筒体および前記第二音通筒体の他方と一体に形成されていることを特徴とする請求項７から９のいずれか一項に記載の両面試聴イヤホン。
【請求項１３】
前記外耳道当接部および前記耳甲介当接部は、弾性材料で形成されていることを特徴とする請求項７から１３のいずれか一項に記載の両面試聴イヤホン。
【請求項１４】
前記弾性材料は、シリコーンゴムであることを特徴とする請求項１３に記載の両面試聴イヤホン。
【請求項１５】
前記弾性材料のゴム硬度は、Ａ７０以下であることを特徴とする請求項１３または１４に記載の両面試聴イヤホン。
【請求項１６】
前記ヨークの軸線に沿う方向における前記外耳道当接部の外端と前記耳甲介当接部の外端との間の距離は、１８ｍｍ以上であることを特徴とする請求項７から１５のいずれか一項に記載の両面試聴イヤホン。
【請求項１７】
前記第一音通筒体および前記第二音通筒体の一方に設けられた前記外耳道当接部を前記外耳道に挿入した使用状態において、
前記一方の延在方向から見て、前記外耳道当接部は、前記使用者の耳珠と対珠とが対向する方向と直交する方向に延びる楕円形状を有することを特徴とする請求項７から１６のいずれか一項に記載の両面試聴イヤホン。
【請求項１８】
前記第一音通筒体および前記第二音通筒体の一方を前記外耳道に挿入した第一使用状態においてコードが前記使用者の耳に対して頭頂部側に引き出されるように前記コードを支持するとともに、前記第一音通筒体および前記第二音通筒体の他方を前記外耳道に挿入した第二使用状態において前記コードが前記使用者の耳に対して顎部側に引き出されるように前記コードを支持するコード支持部を更に備えることを特徴とする請求項７から１７のいずれか一項に記載の両面試聴イヤホン。
【請求項１９】
前記ケースは、
前記スピーカを前記振動膜の側から覆うとともに、前記第一音通筒体が連結される第一カバーと、
前記スピーカを前記ヨークの側から覆うとともに、前記第二音通筒体が連結される第二カバーと、を備えることを特徴とする請求項１から１８のいずれか一項に記載の両面試聴イヤホン。
【請求項２０】
コードを支持する筒状をなし、前記コードを一端側から引き出すコード支持部と、
前記コード支持部において前記コードが引き出される側とは反対側の端部に設けられたマイクロフォンと、を更に備えることを特徴とする請求項１から１９のいずれか一項に記載の両面試聴イヤホン。
【発明の詳細な説明】
【技術分野】
【０００１】
本発明は、両面試聴イヤホンに関する。
【背景技術】
【０００２】
従来、イヤホンとしては、イヤホンを使用者の耳の外耳道に挿入して使用するカナル型イヤホン（挿入式イヤホン）と、イヤホンを使用者の耳の耳介に装着して使用するイントラコンカ型イヤホンとが知られている。例えば、特許文献１には、振動膜を支持するヨークと、ヨークを収容するケース本体と、を備え、ケース本体においてヨークに面する部分に音通孔を設けた構造が開示されている。特許文献１では、ケース本体において使用者の耳に装着される部分（装着部）を振動膜よりも小径にすることで、装着安定性を良くしている。
【先行技術文献】
【特許文献】
【０００３】
【特許文献１】特許第５２８８５５６号公報
【発明の概要】
【発明が解決しようとする課題】
【０００４】
ところで、このようなイヤホンにおいては、装着安定性のみならず、イヤホンの試聴態様の多様化が望まれている。
【０００５】
本発明は、上記の課題を解決するためになされたものであって、挿入式イヤホンとしてスピーカの振動膜側とヨーク側との両方から試聴可能な両面試聴イヤホンを提供することを目的とする。
【課題を解決するための手段】
【０００６】
上記課題の解決手段として、本発明の態様は以下の構成を有する。
（１）本発明の態様に係る両面試聴イヤホンは、振動膜と、前記振動膜を支持するヨークと、を有し、前記振動膜の振動によって発音するスピーカと、前記スピーカを収容するケースと、前記スピーカの前記振動膜の側に設けられ、前記ケースにおいて前記振動膜に面する部分から前記振動膜の前記ヨークとは反対側へ向けて突出する筒状をなすとともに、前記スピーカによって発音された音を使用者の耳における外耳道に伝搬させるための第一音通筒体と、前記スピーカの前記ヨークの側に設けられ、前記ケースにおいて前記ヨークに面する部分から前記ヨークの前記振動膜とは反対側へ向けて突出する筒状をなすとともに、前記スピーカによって発音された音を前記外耳道に伝搬させるための第二音通筒体と、を備える。
【０００７】
（２）上記（１）に記載の両面試聴イヤホンでは、前記第一音通筒体および前記第二音通筒体の一方を前記外耳道に挿入した第一使用状態において第一音声帯域の音質とするとともに、前記第一音通筒体および前記第二音通筒体の他方を前記外耳道に挿入した第二使用状態において前記第一音声帯域とは異なる第二音声帯域の音質としてもよい。
【０００８】
（３）上記（１）または（２）に記載の両面試聴イヤホンでは、前記第一音通筒体は、前記第一音通筒体を前記外耳道に挿入した第一使用状態において前記外耳道の内壁に当接するための外耳道当接部が設けられ、前記外耳道に指向する第一支持筒部と、前記ケースにおいて前記振動膜に面する部分と前記外耳道当接部との位置関係を保持するように前記第一支持筒部と前記ケースとを連結する第一連結筒部と、を備えてもよい。
【０００９】
（４）上記（１）から（３）のいずれか一項に記載の両面試聴イヤホンでは、前記第二音通筒体は、前記第二音通筒体を前記外耳道に挿入した第二使用状態において前記外耳道の内壁に当接するための外耳道当接部が設けられ、前記外耳道に指向する第二支持筒部と、前記ケースにおいて前記ヨークに面する部分と前記外耳道当接部との位置関係を保持するように前記第二支持筒部と前記ケースとを連結する第二連結筒部と、を備えてもよい。
【００１０】
（５）上記（１）から（４）のいずれか一項に記載の両面試聴イヤホンでは、前記第一音通筒体および前記第二音通筒体の一方を前記外耳道に挿入した使用状態において、前記第一音通筒体および前記第二音通筒体の前記一方は、前記ヨークの軸線において前記ケースと重なる部分よりも片側にオフセットするとともに、前記ケースから前記外耳道に向けて傾斜して延びていてもよい。
【００１１】
（６）上記（５）に記載の両面試聴イヤホンでは、前記第一音通筒体の中心を通る第一中心線と前記ヨークの軸線とのなす角度をＡ１とし、前記第二音通筒体の中心を通る第二中心線と前記軸線とのなす角度をＡ２とし、前記第一中心線と前記第二中心線とのなす角度をＡ３としたとき、前記角度Ａ１および前記角度Ａ２のそれぞれは０度以上９０度以下であり、前記角度Ａ３は９０度以上１５０度以下であってもよい。
【００１２】
（７）上記（６）に記載の両面試聴イヤホンでは、前記第一音通筒体および前記第二音通筒体の一方に設けられ、前記外耳道の内壁に当接するための外耳道当接部と、前記第一音通筒体および前記第二音通筒体の他方に設けられ、前記スピーカとは反対側に向けて凸の湾曲状をなして膨出するとともに、前記使用者の耳甲介腔に面する対珠に連なる耳甲介に当接するための耳甲介当接部と、を更に備えてもよい。
【００１３】
（８）上記（７）に記載の両面試聴イヤホンでは、前記耳甲介当接部は、前記第一音通筒体および前記第二音通筒体の前記他方の開口を塞ぐ閉塞部を有してもよい。
【００１４】
（９）上記（７）または（８）に記載の両面試聴イヤホンでは、前記耳甲介当接部は、複数の凹部を有してもよい。
【００１５】
（１０）上記（７）から（９）のいずれかに記載の両面試聴イヤホンでは、前記第一音通筒体および前記第二音通筒体の一方に着脱可能に設けられ、前記外耳道当接部を有する第一イヤーチップと、前記第一音通筒体および前記第二音通筒体の他方に着脱可能に設けられ、前記耳甲介当接部を有する第二イヤーチップと、を更に備えてもよい。
【００１６】
（１１）上記（１０）に記載の両面試聴イヤホンでは、前記第一音通筒体および前記第二音通筒体の一方は、複数種類のサイズの前記第一イヤーチップが着脱可能とされ、前記第一音通筒体および前記第二音通筒体の他方は、複数種類のサイズの前記第二イヤーチップが着脱可能とされていてもよい。
【００１７】
（１２）上記（７）から（９）のいずれかに記載の両面試聴イヤホンでは、前記外耳道当接部は、前記第一音通筒体および前記第二音通筒体の一方と一体に形成され、前記耳甲介当接部は、前記第一音通筒体および前記第二音通筒体の他方と一体に形成されていてもよい。
【００１８】
（１３）上記（７）から（１２）のいずれかに記載の両面試聴イヤホンでは、前記外耳道当接部および前記耳甲介当接部は、弾性材料で形成されていてもよい。
【００１９】
（１４）上記（１３）に記載の両面試聴イヤホンでは、前記弾性材料は、シリコーンゴムであってもよい。
【００２０】
（１５）上記（１３）または（１４）に記載の両面試聴イヤホンでは、前記弾性材料のゴム硬度は、Ａ７０以下であってもよい。
【００２１】
（１６）上記（７）から（１５）のいずれかに記載の両面試聴イヤホンでは、前記ヨークの軸線に沿う方向における前記外耳道当接部の外端と前記耳甲介当接部の外端との間の距離は、１８ｍｍ以上であってもよい。
【００２２】
（１７）上記（７）から（１６）のいずれかに記載の両面試聴イヤホンでは、前記第一音通筒体および前記第二音通筒体の一方に設けられた前記外耳道当接部を前記外耳道に挿入した使用状態において、前記一方の延在方向から見て、前記外耳道当接部は、前記使用者の耳珠と対珠とが対向する方向と直交する方向に延びる楕円形状を有してもよい。
【００２３】
（１８）上記（７）から（１７）のいずれかに記載の両面試聴イヤホンでは、前記第一音通筒体および前記第二音通筒体の一方を前記外耳道に挿入した第一使用状態においてコードが前記使用者の耳に対して頭頂部側に引き出されるように前記コードを支持するとともに、前記第一音通筒体および前記第二音通筒体の他方を前記外耳道に挿入した第二使用状態において前記コードが前記使用者の耳に対して顎部側に引き出されるように前記コードを支持するコード支持部を更に備えてもよい。
【００２４】
（１９）上記（１）から（１８）のいずれかに記載の両面試聴イヤホンでは、前記ケースは、前記スピーカを前記振動膜の側から覆うとともに、前記第一音通筒体が連結される第一カバーと、前記スピーカを前記ヨークの側から覆うとともに、前記第二音通筒体が連結される第二カバーと、を備えてもよい。
【００２５】
（２０）上記（１）から（１９）のいずれかに記載の両面試聴イヤホンでは、コードを支持する筒状をなし、前記コードを一端側から引き出すコード支持部と、前記コード支持部において前記コードが引き出される側とは反対側の端部に設けられたマイクロフォンと、を更に備えてもよい。
【発明の効果】
【００２６】
本発明の上記（１）に記載の両面試聴イヤホンによれば、スピーカの振動膜の側に設けられ、ケースにおいて振動膜に面する部分から振動膜のヨークとは反対側へ向けて突出する筒状をなすとともに、スピーカによって発音された音を使用者の耳における外耳道に伝搬させるための第一音通筒体と、スピーカのヨークの側に設けられ、ケースにおいてヨークに面する部分からヨークの振動膜とは反対側へ向けて突出する筒状をなすとともに、スピーカによって発音された音を外耳道に伝搬させるための第二音通筒体と、を備えることで、以下の効果を有する。
イヤホンを使用する際、第一音通筒体および第二音通筒体のいずれかを選択して外耳道に挿入することができる。したがって、挿入式イヤホンとしてスピーカの振動膜側とヨーク側との両方から試聴可能な両面試聴イヤホンを提供することができる。
【００２７】
本発明の上記（２）に記載の両面試聴イヤホンによれば、第一音通筒体および第二音通筒体の一方を外耳道に挿入した第一使用状態において第一音声帯域の音質とするとともに、第一音通筒体および第二音通筒体の他方を外耳道に挿入した第二使用状態において第一音声帯域とは異なる第二音声帯域の音質とすることで、以下の効果を有する。
イヤホンを使用する際、２種類の音質が得られる。例えば、一方から試聴する場合は再生音帯域の広い音楽試聴用の音質とし、他方から試聴する場合は音声帯域が聞きやすい語学学習用の音質とすることができる。
【００２８】
本発明の上記（３）に記載の両面試聴イヤホンによれば、第一音通筒体は、第一音通筒体を外耳道に挿入した第一使用状態において外耳道の内壁に当接するための外耳道当接部が設けられ、外耳道に指向する第一支持筒部と、ケースにおいて振動膜に面する部分と外耳道当接部との位置関係を保持するように第一支持筒部とケースとを連結する第一連結筒部と、を備えることで、以下の効果を有する。
イヤホンを第一使用状態で使用する際、第一連結筒部の長さ分だけ、第一支持筒部を外耳道の奥へ入り込ませることができるため、外部雑音の侵入を更に抑制することができる。例えば、弾性材料で形成された耳甲介当接部を有する場合、対珠側の耳甲介側壁に対する耳甲介当接部の弾性反発力により、第一支持筒部を外耳道側へ押し込むことができる。
【００２９】
本発明の上記（４）に記載の両面試聴イヤホンによれば、第二音通筒体は、第二音通筒体を外耳道に挿入した第二使用状態において外耳道の内壁に当接するための外耳道当接部が設けられ、外耳道に指向する第二支持筒部と、ケースにおいてヨークに面する部分と外耳道当接部との位置関係を保持するように第二支持筒部とケースとを連結する第二連結筒部と、を備えることで、以下の効果を有する。
イヤホンを第二使用状態で使用する際、第二連結筒部の長さ分だけ、第二支持筒部を外耳道の奥へ入り込ませることができるため、外部雑音の侵入を更に抑制することができる。例えば、弾性材料で形成された耳甲介当接部を有する場合、対珠側の耳甲介側壁に対する耳甲介当接部の弾性反発力により、第二支持筒部を外耳道側へ押し込むことができる。
【００３０】
本発明の上記（５）に記載の両面試聴イヤホンによれば、第一音通筒体および第二音通筒体の一方を外耳道に挿入した使用状態において、第一音通筒体および第二音通筒体の前記一方は、ヨークの軸線においてケースと重なる部分よりも片側にオフセットするとともに、ケースから前記外耳道に向けて傾斜して延びていることで、以下の効果を有する。
イヤホンを使用する際、使用者の外耳道に沿って自然な角度で第一音通筒体および第二音通筒体の一方を外耳道へ挿入することができるため、装着安定性を向上することができる。
【００３１】
本発明の上記（６）に記載の両面試聴イヤホンによれば、第一音通筒体の中心を通る第一中心線とヨークの軸線とのなす角度をＡ１とし、第二音通筒体の中心を通る第二中心線と前記軸線とのなす角度をＡ２とし、第一中心線と第二中心線とのなす角度をＡ３としたとき、角度Ａ１および角度Ａ２のそれぞれは０度以上９０度以下であり、角度Ａ３は９０度以上１５０度以下であることで、以下の効果を有する。
角度Ａ３が９０度以上１５０度以下の範囲で使用者のニーズに合わせて角度を設定することができる。
【００３２】
本発明の上記（７）に記載の両面試聴イヤホンによれば、第一音通筒体および第二音通筒体の一方に設けられ、外耳道の内壁に当接するための外耳道当接部と、第一音通筒体および第二音通筒体の他方に設けられ、スピーカとは反対側に向けて凸の湾曲状をなして膨出するとともに、使用者の耳甲介腔に面する対珠に連なる耳甲介に当接するための耳甲介当接部と、を更に備えることで、以下の効果を有する。
イヤホンを使用する際、外耳道当接部を外耳道の内壁に当接させつつ、耳甲介当接部を耳甲介に広い範囲で接触させやすいため、装着安定性を更に向上することができる。
【００３３】
本発明の上記（８）に記載の両面試聴イヤホンによれば、耳甲介当接部は、第一音通筒体および第二音通筒体の他方の開口を塞ぐ閉塞部を有することで、以下の効果を有する。
閉塞部によってスピーカから発音された音が遮断されるため、第一音通筒体および第二音通筒体の他方の開口からの音漏れを抑制することができる。
【００３４】
本発明の上記（９）に記載の両面試聴イヤホンによれば、耳甲介当接部は、複数の凹部を有することで、以下の効果を有する。
複数の凹部によって耳甲介当接部を耳甲介により一層柔らかく接触させることができるため、装着安定性を更に向上することができる。加えて、複数の凹部の分だけ肉が取られるため、材料費を低減することができる。
【００３５】
本発明の上記（１０）に記載の両面試聴イヤホンによれば、第一音通筒体および第二音通筒体の一方に着脱可能に設けられ、外耳道当接部を有する第一イヤーチップと、第一音通筒体および第二音通筒体の他方に着脱可能に設けられ、耳甲介当接部を有する第二イヤーチップと、を更に備えることで、以下の効果を有する。
イヤホンを使用する際、第一音通筒体および第二音通筒体の一方を選択して第一イヤーチップを装着し外耳道に挿入するとともに、第一音通筒体および第二音通筒体の他方を選択して第二イヤーチップを装着し耳甲介に接触させることができる。したがって、使用者のニーズに合わせてスピーカの振動膜側とヨーク側との両方から試聴可能となる。
【００３６】
本発明の上記（１１）に記載の両面試聴イヤホンによれば、第一音通筒体および第二音通筒体の一方は、複数種類のサイズの第一イヤーチップが着脱可能とされ、第一音通筒体および第二音通筒体の他方は、複数種類のサイズの第二イヤーチップが着脱可能とされていることで、以下の効果を有する。
イヤホンを使用する際、使用者の耳の大きさに合うように第一イヤーチップおよび第二イヤーチップを任意に選択することができるため、使用者にとって快適な装着感を得ることができる。
【００３７】
本発明の上記（１２）に記載の両面試聴イヤホンによれば、外耳道当接部は、第一音通筒体および第二音通筒体の一方と一体に形成され、耳甲介当接部は、第一音通筒体および第二音通筒体の他方と一体に形成されていることで、以下の効果を有する。
外耳道当接部（第一イヤーチップ）および耳甲介当接部（第二イヤーチップ）が第一音通筒体および第二音通筒体の一方に着脱可能に設けられた場合と比較して、外耳道当接部および耳甲介当接部の紛失を防止することができる。加えて、外耳道当接部および耳甲介当接部の耳への接触面積を増やすことができるため、装着安定性が向上する。
【００３８】
本発明の上記（１３）に記載の両面試聴イヤホンによれば、外耳道当接部および耳甲介当接部は、弾性材料で形成されていることで、以下の効果を有する。
イヤホンを使用する際、耳の形状（外耳道、対珠および耳甲介の形状）に沿うように外耳道当接部および耳甲介当接部を弾性変形させることができるため、装着安定性がより一層向上する。
【００３９】
本発明の上記（１４）に記載の両面試聴イヤホンによれば、弾性材料は、シリコーンゴムであることで、以下の効果を有する。
シリコーンゴムは、生体適合性、耐熱性、耐薬品性、撥水性、電気絶縁性などに優れているため、弾性材料として好適である。
【００４０】
本発明の上記（１５）に記載の両面試聴イヤホンによれば、弾性材料のゴム硬度は、Ａ７０以下であることで、以下の効果を有する。
イヤホンを使用する際、耳の形状（外耳道、対珠および耳甲介の形状）に沿うように外耳道当接部および耳甲介当接部をより柔軟に弾性変形させることができるため、耳への圧迫感を軽減し、装着安定性がより一層向上する。
【００４１】
本発明の上記（１６）に記載の両面試聴イヤホンによれば、ヨークの軸線に沿う方向における前記外耳道当接部の外端と前記耳甲介当接部の外端との間の距離は、１８ｍｍ以上であることで、以下の効果を有する。
前記距離が１８ｍｍ未満の場合と比較して、外耳道当接部が外耳道の入口外縁部により強く押し付けられ、外耳道の入口外縁部と外耳道当接部とが密着するため、音漏れの原因となる隙間が生じることを抑制することができる。
【００４２】
本発明の上記（１７）に記載の両面試聴イヤホンによれば、第一音通筒体および第二音通筒体の一方に設けられた外耳道当接部を前記外耳道に挿入した使用状態において、前記一方の延在方向から見て、外耳道当接部は、使用者の耳珠と対珠とが対向する方向と直交する方向に延びる楕円形状を有することで、以下の効果を有する。
外耳道当接部が前記楕円形状を有する場合、一般的な外耳道の形状に合うため、前記一方の延在方向から見て外耳道当接部が真円形状を有する場合と比較して、外耳道への圧迫感を軽減し、装着安定性をより一層向上することができる。
【００４３】
本発明の上記（１８）に記載の両面試聴イヤホンによれば、第一音通筒体および第二音通筒体の一方を外耳道に挿入した第一使用状態においてコードが使用者の耳に対して頭頂部側に引き出されるようにコードを支持するとともに、第一音通筒体および第二音通筒体の他方を外耳道に挿入した第二使用状態においてコードが使用者の耳に対して顎部側に引き出されるようにコードを支持するコード支持部を更に備えることで、以下の効果を有する。
イヤホンを使用する際、コードを使用者の耳たぶに掛けたり、コードを下側に出したりする等、任意の使用方法に対応することが可能となる。例えば、コードを耳たぶに掛けた場合は、コードの機械的な伝導ノイズを大幅に減らすことが可能となるため、語学学習時など集中して試聴したいときに好適である。
【００４４】
本発明の上記（１９）に記載の両面試聴イヤホンによれば、ケースは、スピーカを振動膜の側から覆うとともに、第一音通筒体が連結される第一カバーと、スピーカをヨークの側から覆うとともに、第二音通筒体が連結される第二カバーと、を備えることで、以下の効果を有する。
第一カバーと第二カバーとを別個独立に製造することができるため、製造効率を向上することができる。
【００４５】
本発明の上記（２０）に記載の両面試聴イヤホンによれば、コードを支持する筒状をなし、前記コードを一端側から引き出すコード支持部と、前記コード支持部において前記コードが引き出される側とは反対側の端部に設けられたマイクロフォンと、を更に備えることで、以下の効果を有する。
マイクロフォンによって、周囲から収音した音を増幅したり、周囲から外耳道に侵入した主に高音域の雑音を低減したりすることができる。
例えば、マイクロフォンによって周囲から収音した音を増幅し、音声帯域が明瞭に聞こえるような周波数特性で試聴する場合は、難聴者の会話、テレビ視聴等に有効である。
例えば、マイクロフォンをアクティブ・ノイズ・キャンセルに応用した場合、以下の（１）、（２）の効果を有する。
（１）外耳道当接部と外耳道の内壁との安定的な接触により、高音域の周囲雑音は基本的に低減される。
（２）アクティブ・ノイズ・キャンセルにより主に低音域の雑音を低減するよう構成することにより、マイクロフォンとスピーカとの位相差により発生する高音域の雑音の影響を受けることなく、一般的なノイズキャンセル・イヤホンと比較して、良好なノイズ・キャンセル効果を得ることができる。
加えて、イヤホンを使用する際、外耳道当接部と外耳道の内壁との接触が安定している場合、さらに良好なノイズ・キャンセル効果を得ることができる。
【図面の簡単な説明】
【００４６】
【図１】実施形態に係る左右のイヤホンの斜視図である。
【図２】実施形態に係るイヤホンを振動膜側から見た図である。
【図３】実施形態に係るイヤホンをヨーク側から見た図である。
【図４】実施形態に係るイヤホンをコード引き出し側とは反対側から見た図である。
【図５】実施形態に係るイヤホンをコード支持部の側から見た図である。
【図６】実施形態に係るイヤホンをコード支持部とは反対側から見た図である。
【図７】図２のＶＩＩ−ＶＩＩ断面図である。
【図８】図４のＶＩＩＩ−ＶＩＩＩ断面図である。
【図９】図４のＩＸ−ＩＸ断面図である。
【図１０】図４のＸ−Ｘ断面図である。
【図１１】実施形態に係るイヤホンを振動膜側から試聴するときの等価回路図である。
【図１２】実施形態の係るイヤホンをヨーク側から試聴するときの等価回路図である。
【図１３】実施形態に係るイヤホンを試聴した際の音波の周波数特性を示す図である。
【図１４】実施形態に係るイヤホンの左耳での第一使用状態の説明図である。
【図１５】実施形態に係るイヤホンの左耳での第二使用状態の説明図である。
【図１６】比較例に係るイヤホンの左耳での使用状態の説明図である。
【図１７】実施形態に係るイヤホンを左耳への装着した状態の一例を示す図である。
【図１８】実施形態に係るイヤホンを左耳への装着した状態の他の例を示す図である。
【図１９】実施形態の変形例に係る外耳道当接部の図１０に相当する断面図である。
【図２０】実施形態の変形例に係るイヤホンを示す図４に相当する図である。
【発明を実施するための形態】
【００４７】
以下、本発明の実施形態について図面を参照して説明する。各図において、同一構成については同一の符号を付す。実施形態においては、イヤホンを使用者の耳の外耳道に挿入して使用する挿入式イヤホンについて説明する。以下、挿入式イヤホンを単に「イヤホン」ともいう。
【００４８】
＜左右のイヤホン＞
図１は、実施形態に係る左右のイヤホンの斜視図である。
図１は、実施形態のイヤホンを左耳用および右耳用のそれぞれに適用した一対のイヤホンであって、左耳用と右耳用とでイヤホンの一部の色を互いに異ならせた例を示している。図１においては、左耳用の要素の符号末尾に「Ｌ」を付し、右耳用の要素の符号末尾に「Ｒ」を付している。
【００４９】
図１に示すように、左耳用のイヤホン１Ｌは、右耳用のイヤホン１Ｒをミラー反転した形状を有する。すなわち、左耳用のイヤホン１Ｌと右耳用のイヤホン１Ｒとは、左右対称構造（左右勝手違い部品）とされている。左耳用のイヤホン１Ｌにおけるコード支持部６Ｌ（以下「左側コード支持部６Ｌ」ともいう。）は、右耳用のイヤホン１Ｒにおけるコード支持部６Ｒ（以下「右側コード支持部６Ｒ」ともいう。）とは異なる色を有していてもよい。左側コード支持部６Ｌの一端部は、第一の色（例えば青色）を有する。右側コード支持部６Ｒの一端部は、第一の色とは異なる第二の色（例えば赤色）を有する。
【００５０】
＜イヤホン全体＞
以下、実施形態のイヤホン１として左耳用のイヤホン１Ｌを挙げて説明する。右耳用のイヤホン１Ｒは、左耳用のイヤホン１Ｌをミラー反転した形状を有する以外は左耳用のイヤホン１Ｌと同様の構成を有するため詳細説明は省略する。
図２は、実施形態に係るイヤホン１を振動膜側から見た図である。図３は、実施形態に係るイヤホン１をヨーク側から見た図である。図４は、実施形態に係るイヤホン１をコード引き出し側とは反対側から見た図である。図５は、実施形態に係るイヤホン１をコード支持部の側から見た図である。図６は、実施形態に係るイヤホン１をコード支持部とは反対側から見た図である。図７は、図２のＶＩＩ−ＶＩＩ断面図である。図８は、図４のＶＩＩＩ−ＶＩＩＩ断面図である。図９は、図４のＩＸ−ＩＸ断面図である。図１０は、図４のＸ−Ｘ断面図である。
【００５１】
図１に示すように、イヤホン１は、スピーカ２（図７参照）と、スピーカ２を収容するケース３と、ケース３から突出する第一音通筒体４（図７参照）および第二音通筒体５（図７参照）と、コード６０を支持するコード支持部６と、マイクロフォン９０（図９参照）と、第一イヤーチップ７（図７参照）および第二イヤーチップ８と、を備える。
【００５２】
イヤホン１は、第一音通筒体４および第二音通筒体５の一方を外耳道１００に挿入することにより使用される。イヤホン１は、第一音通筒体４を外耳道１００に挿入した第一使用状態（図１４参照）と、第二音通筒体５を外耳道１００に挿入した第二使用状態（図１５参照）と、を任意に変更可能である。第一使用状態は、第一音通筒体４に第一イヤーチップ７が装着され、かつ、第二音通筒体５に第二イヤーチップ８が装着された状態である（図１４参照）。第二使用状態は、第一音通筒体４に第二イヤーチップ８が装着され、かつ、第二音通筒体５に第一イヤーチップ７が装着された状態である（図１５参照）。イヤホン１は、第一使用状態において第一音声帯域の音質とするとともに、第二使用状態において第一音声帯域とは異なる第二音声帯域の音質とする。図２から図１０では、第二使用状態におけるイヤホン１を図示している。
【００５３】
＜スピーカ２＞
図８に示すように、スピーカ２は、振動膜９と、振動膜９を支持するヨーク１０と、を備える。スピーカ２は、振動膜９の振動によって発音する。
ヨーク１０は、円筒状の筒壁部１１を有するカップ状をなしている。以下、ヨーク１０の軸線Ｌｙに沿う方向を「軸方向」、軸線Ｌｙに直交する方向を「径方向」、軸線Ｌｙ周りの方向を「周方向」とする。
【００５４】
例えば、ヨーク１０は、磁性材料で形成されている。ヨーク１０は、筒壁部１１、フランジ部１２および底部１３を備える。
フランジ部１２は、筒壁部１１の第一端部（開放端部）に結合されている。フランジ部１２は、筒壁部１１の外径よりも大きい環状を有する。フランジ部１２は、筒壁部１１と同軸に設けられている。フランジ部１２の外周縁部は、筒壁部１１の第一端部から離れる方向にオフセットしている。
底部１３は、筒壁部１１の第二端部（軸方向で開放端部とは反対側の端部）に結合されている。底部１３は、筒壁部１１と同軸に設けられた貫通孔１３ａを有する。
【００５５】
例えば、振動膜９は、絶縁性を有するフィルム材料で形成されている。振動膜９は、筒壁部１１の外径よりも大きい円盤状を有する。振動膜９の中央部９ａは、ドーム状に膨らんでいる。振動膜９の外周部９ｂは、中央部９ａよりも小さく膨らんでいる。振動膜９は、空間を介してヨーク１０を覆っている。振動膜９の外周縁部は、全周にわたってヨーク１０のフランジ部１２に接着されている。図中符号９ｃは、振動膜９において中央部９ａと外周部９ｂとの間に位置する環状の境界部を示す。
【００５６】
スピーカ２は、マグネット１４およびコイル１５を更に備える。
マグネット１４は、ヨーク１０内に収容されている。マグネット１４は、筒壁部１１と同軸の円筒状を有する。マグネット１４は、底部１３の貫通孔１３ａと実質的に同じ大きさの中空部１４ａを有する。マグネット１４は、中空部１４ａを底部１３の貫通孔１３ａに揃えるようにして底部１３の第一面に配置されている。マグネット１４は、底部１３の第一面から筒壁部１１の第一端部まで延びている。マグネット１４の一端部には、マグネット１４と略同じ内径、略同じ外径を有する環状のポールピース（不図示）が取り付けられている。例えば、ポールピースは、ヨーク１０と同じ材料、略同じ厚さで形成されている。
【００５７】
コイル１５は、導線を円筒状に巻いて一体化したものである。コイル１５は、振動膜９の第二面（ヨーク１０と対向する面）に固定されている。軸方向から見て、コイル１５は、振動膜９における境界部９ｃと重なっている。コイル１５は、振動膜９の中央部９ａを囲むように配置されている。コイル１５は、ヨーク１０の筒壁部１１およびマグネット１４のそれぞれと間隔をあけて径方向で対向している。
コイル１５からは、リード線（不図示）が引き出されている。リード線は、マグネット１４の中空部１４ａを介して、底部１３の第二面側の端子部１６に接続されている。
【００５８】
＜ケース３＞
図７に示すように、ケース３は、スピーカ２を振動膜９の側から覆うとともに、第一音通筒体４が連結される第一カバー２０と、スピーカ２をヨーク１０の側から覆うとともに、第二音通筒体５が連結される第二カバー３０と、を備える。例えば、ケース３（第一カバー２０および第二カバー３０）は、合成樹脂で形成されている。
【００５９】
断面視で、第一カバー２０は、第二カバー３０を挟んでヨーク１０の径方向外側から振動膜９のヨーク１０とは反対側にかけてスピーカ２を覆うドーム状をなしている。第一カバー２０は、スピーカ２を収容した状態で第二カバー３０に取り付けられている。例えば、第一カバー２０は、接着剤などで第二カバー３０に固定されている。
図２に示すように、第一カバー２０は、軸方向から見て円形状の外縁を有する。第一音通筒体４を使用者の外耳道１００に挿入した使用状態（第一使用状態）で、第一カバー２０は、耳珠１０２と対珠１０３との間の空間に収まる外形形状を有する（図１４参照）。
【００６０】
図７に示すように、第一カバー２０は、スピーカ２を振動膜９の側から覆うドーム状をなす第一カバー本体２２と、第一カバー本体２２の外周からヨーク１０の振動膜９とは反対側へ向けて突出する環状をなす第一環状部２３と、を備える。第一カバー本体２２、第一環状部２３および第一音通筒体４は、同一の合成樹脂で一体に形成されている。図中において、符号２４は第一カバー本体２２に形成された第一貫通孔、符号２５は第一貫通孔２４を覆うように第一カバー本体２２の内側に設けられた不織布、メッシュ等の第一音響抵抗材をそれぞれ示す。
【００６１】
断面視で、第二カバー３０は、ヨーク１０の径方向外側からヨーク１０の振動膜９とは反対側へ向けて延びている。第二カバー３０は、軸方向から見て第一カバー２０と実質的に同じ円形状の外縁を有する（図３参照）。
【００６２】
第二カバー３０は、スピーカ２をヨーク１０の側から覆うドーム状をなす第二カバー本体３２と、第二カバー本体３２の内周からヨーク１０を収容するように振動膜９の側へ向けて突出する環状をなす第二環状部３３と、を備える。第二カバー本体３２、第二環状部３３および第二音通筒体５は、同一の合成樹脂で一体に形成されている。図中において、符号３４は第二カバー本体３２に形成された第二貫通孔、符号３５は第二貫通孔３４を覆うように第二カバー本体３２の内側に設けられた不織布、メッシュ等の第二音響抵抗材をそれぞれ示す。
【００６３】
＜第一音通筒体４＞
図７に示すように、第一音通筒体４は、ケース３において振動膜９に面する部分から振動膜９のヨーク１０とは反対側へ向けて突出する筒状をなしている。第一音通筒体４は、第一使用状態においてスピーカ２によって発音された音を使用者の耳における外耳道１００に伝搬させる機能を有する（図１４参照）。以下、第一音通筒体４の中心（軸心）を通る仮想直線Ｌ１を「第一中心線Ｌ１」ともいう。
【００６４】
第一音通筒体４は、第一イヤーチップ７および第二イヤーチップ８の一方（図では第二イヤーチップ８）を着脱可能に支持する第一支持筒部４１と、ケース３において振動膜９に面する部分と第二イヤーチップ８との位置関係を保持するように第一支持筒部４１とケース３とを連結する第一連結筒部４２と、を備える。第一支持筒部４１および第一連結筒部４２は、同一の部材で一体に形成されている。
【００６５】
第一支持筒部４１は、第一連結筒部４２の外径よりも小さい外径を有する。第一支持筒部４１は、第二イヤーチップ８を着脱可能に支持する第一爪部４１ａを備える。
【００６６】
第一音通筒体４は、第一カバー２０において軸方向（ヨーク１０の軸線Ｌｙに沿う方向）で振動膜９の約半分と重なるように形成されている。第一音通筒体４は、ケース３の外側に向けてヨーク１０の軸線Ｌｙと交差するように斜めに突出している。第一音通筒体４は、ケース３の内部空間と外部空間とを連通する第一音通孔４０を有する。第一音通孔４０は、第一使用状態において、ケース３の内部空間と外部空間とを遮断し、外耳道１００に連通し、音声信号を伝えるための音通孔である（図１４参照）。
【００６７】
第一音通筒体４を外耳道１００に挿入した第一使用状態（図１４参照）において、第一音通筒体４は、ヨーク１０の軸線Ｌｙにおいてケース３と重なる部分Ｌｒ（図４参照）よりも外耳道１００の側（片側）にオフセットしている（図１４参照）。ヨーク１０の軸線Ｌｙにおいてケース３と重なる部分Ｌｒは、軸線Ｌｙにおいてケース３の第一面（第一カバー２０の第一面）と第二面（第二カバー３０の第二面）との間の部分を意味する（図４参照）。第一音通筒体４は、ケース３（耳珠１０２とは反対側の部分）から外耳道１００に向けて傾斜して延びている（図１４参照）。
【００６８】
＜第二音通筒体５＞
図７に示すように、第二音通筒体５は、ケース３においてヨーク１０に面する部分からヨーク１０の振動膜９とは反対側へ向けて突出する筒状をなしている。第二音通筒体５は、第二使用状態においてスピーカ２によって発音された音を使用者の耳における外耳道１００に伝搬させる機能を有する（図１５参照）。以下、第二音通筒体５の中心（軸心）を通る仮想直線Ｌ２を「第二中心線Ｌ２」ともいう。
【００６９】
第二音通筒体５は、第一イヤーチップ７および第二イヤーチップ８の一方（図では第一イヤーチップ７）を着脱可能に支持する第二支持筒部５１と、ケース３においてヨーク１０に面する部分と第一イヤーチップ７との位置関係を保持するように第二支持筒部５１とケース３とを連結する第二連結筒部５２と、を備える。第二支持筒部５１および第二連結筒部５２は、同一の部材で一体に形成されている。
【００７０】
第二支持筒部５１は、第二連結筒部５２の外径よりも小さい外径を有する。第二支持筒部５１は、第一イヤーチップ７を着脱可能に支持する第二爪部５１ａを備える。
【００７１】
第二音通筒体５は、第二カバー３０において軸方向でヨーク１０の約半分と重なるように形成されている。第二音通筒体５は、ケース３の外側に向けてヨーク１０の軸線Ｌｙと交差するように第一音通筒体４とは反対側に向けて斜めに突出している。第二音通筒体５は、ケース３の内部空間と外部空間とを連通する第二音通孔５０を有する。第二音通孔５０は、第二使用状態において、ケース３の内部空間と外部空間とを遮断し、外耳道１００に連通し、音声信号を伝えるための音通孔である（図１５参照）。
【００７２】
第二音通筒体５を外耳道１００に挿入した第二使用状態（図１５参照）において、第二音通筒体５は、ヨーク１０の軸線Ｌｙにおいてケース３と重なる部分Ｌｒ（図４参照）よりも外耳道１００の側（片側）にオフセットしている（図１５参照）。第二音通筒体５は、ケース３（耳珠１０２とは反対側の部分）から外耳道１００に向けて傾斜して延びている（図１５参照）。
【００７３】
図７に示すように、第一音通筒体４の中心を通る第一中心線Ｌ１とヨーク１０の軸線Ｌｙとのなす角度をＡ１とする。第二音通筒体５の中心を通る第二中心線Ｌ２とヨーク１０の軸線Ｌｙとのなす角度をＡ２とする。第一中心線Ｌ１と第二中心線Ｌ２とのなす角度をＡ３とする。
例えば、角度Ａ１および角度Ａ２のそれぞれは、０度以上９０度以下に設定される。例えば、角度Ａ３は、９０度以上１５０度以下に設定される。
本実施形態において、角度Ａ１および角度Ａ２のそれぞれは３０度である。すなわち、角度Ａ３は１２０度である。
【００７４】
＜コード支持部６＞
図７に示すように、コード支持部６は、ケース３において第一音通筒体４および第二音通筒体５が設けられた側とは反対側に設けられている。コード支持部６は、第一使用状態において、コード６０が使用者の耳に対して頭頂部側（例えば上側）に引き出されるようにコード６０を支持する（図１８参照）。コード支持部６は、第二使用状態において、コード６０が使用者の耳に対して顎部側（頭頂部とは反対側、例えば下側）に引き出されるようにコード６０を支持する（図１７参照）。
【００７５】
図９に示すように、コード支持部６は、第一カバー２０に結合されている。例えば、コード支持部６は、第一カバー２０と同一の部材で一体に形成されていてもよい。コード支持部６は、ヨーク１０の軸線Ｌｙと実質的に直交する方向（図の紙面下方向）に向けて延在している。コード支持部６には、電子機器（不図示）に接続されるコード６０が挿通されている。コード６０は、コード支持部６内で抜け防止用に結び目６０ａが形成されている。コード６０には、スピーカ２に音声信号を供給するための配線６１が内蔵されている。配線６１は、底部１３の第二面側の端子部１６（図８参照）に接続されている。図中符号６２は、ケース３（第一カバー２０）に設けられた配線通過孔（配線６１を通過させるための貫通孔）を示す。
【００７６】
例えば、電子機器（不図示）からコード６０を介して音声信号が供給されると、リード線（不図示）を介して音声信号がコイル１５に供給される。すると、コイル１５が変位することにより、振動膜９が振動する。これにより、スピーカ２が発音する。スピーカ２によって発音された音は、音通孔４０，５０（第一使用状態では第一音通孔４０、第二使用状態では第二音通孔５０）を通じて使用者の耳における外耳道１００へ伝搬される（図１４，図１５参照）。
【００７７】
＜マイクロフォン９０＞
図９に示すように、マイクロフォン９０は、コード支持部６においてコード６０が引き出される側とは反対側の端部（一端部）に設けられている。図中符号９１は、マイクロフォン９０を収容するマイク収容部を示す。マイク収容部９１は、マイクロフォン９０を収容した状態で、コード支持部６の一端部に取り付けられている。例えば、マイク収容部９１は、コート支持部６の一端部に着脱可能とされていてもよい。
【００７８】
＜第一イヤーチップ７＞
図７に示すように、第一イヤーチップ７は、第一音通筒体４および第二音通筒体５の一方（図では第二音通筒体５）に着脱可能に設けられている。第一イヤーチップ７は、外耳道１００の内壁に当接するための外耳道当接部７０を有する（図１４，図１５参照）。外耳道当接部７０は、第二音通筒体５の延在方向と直交する断面視で真円形状を有する（図１０参照）。
【００７９】
第一イヤーチップ７は、ケース３よりも剛性が低い。第一イヤーチップ７は、弾性材料で形成されている。例えば、弾性材料は、シリコーンゴムである。タイプＡデュロメータによる弾性材料のゴム硬度は、Ａ５以上Ａ７０以下である（ＪＩＳ  Ｋ  ６２５３）。
【００８０】
第一イヤーチップ７は、筒状（図では第二中心線Ｌ２と同軸の筒状）をなす第一接続筒部７１と、第一接続筒部７１の先端部（第二中心線Ｌ２に沿う方向でスピーカ２とは反対側の端部）からスピーカ２へ向けて折り返された第一折り返し部７２と、を備える。第一接続筒部７１および第一折り返し部７２は、同一の部材で一体に形成されている。
【００８１】
第一接続筒部７１の長さ（図では第二中心線Ｌ２に沿う方向における長さ）は、第二音通筒体５よりも長い。図中符号７１ａは、第一接続筒部７１を第二支持筒部５１に装着した際に、第一接続筒部７１が第二爪部５１ａに沿って弾性変形する部分（図では弾性変形後の凹部）を示す。第二支持筒部５１への第一接続筒部７１の装着時、第一接続筒部７１は、第二音通筒体５と第二音通孔５０を共有する。第一接続筒部７１は、第一接続筒部７１の延在方向（図では第二中心線Ｌ２）と直交する断面視で真円形状（真円環状）を有する（図１０参照）。
【００８２】
第一折り返し部７２は、外耳道１００に挿入可能なチューリップ型を有する。第一折り返し部７２は、第一接続筒部７１の先端部からスピーカ２へ近づくに従って漸次拡径する第一拡径筒部７２ａと、第一拡径筒部７２ａにおいてスピーカ２側の端部からスピーカ２に近づくに従って漸次縮径する第一縮径筒部７２ｂと、を備える。第一折り返し部７２は、第一接続筒部７１の延在方向（図では第二中心線Ｌ２）と直交する断面視で、第一接続筒部７１よりも大きい外径を有する真円形状（第一接続筒部７１よりも大径かつ薄肉の真円環状）を有する（図１０参照）。
【００８３】
＜第二イヤーチップ８＞
図７に示すように、第二イヤーチップ８は、第一音通筒体４および第二音通筒体５の他方（図では第一音通筒体４）に着脱可能に設けられている。第二イヤーチップ８は、耳甲介腔１０１に面する対珠１０３に連なる耳甲介１０４に当接するための耳甲介当接部８０を備える（図１４，図１５参照）。耳甲介当接部８０は、スピーカ２とは反対側に向けて凸の湾曲状をなして膨出している。耳甲介当接部８０は、第一音通筒体４の延在方向と直交する断面視で真円形状を有する。
【００８４】
第二イヤーチップ８は、ケース３よりも剛性が低い。第二イヤーチップ８は、第一イヤーチップ７と同一の弾性材料で形成されている。第二イヤーチップ８は、第一イヤーチップ７と略同一のゴム硬度を有する。
【００８５】
第二イヤーチップ８は、筒状（図では第一中心線Ｌ１と同軸の筒状）をなす第二接続筒部８１と、第二接続筒部８１の先端部（第一中心線Ｌ１に沿う方向でスピーカ２とは反対側の端部）からスピーカ２へ向けて折り返された第二折り返し部８２と、を備える。第二接続筒部８１および第二折り返し部８２は、同一の部材で一体に形成されている。
【００８６】
第二接続筒部８１の長さ（図では第一中心線Ｌ１に沿う方向における長さ）は、第一音通筒体４よりも長い。図中符号８１ａは、第二接続筒部８１を第一支持筒部４１に装着した際に、第二接続筒部８１が第一爪部４１ａに沿って弾性変形する部分（図では弾性変形後の凹部）を示す。第一支持筒部４１への第二接続筒部８１の装着時、第二接続筒部８１は、第一音通筒体４の第一音通孔４０を遮断する。第二接続筒部８１は、有底円筒状を有する、第二接続筒部８１は、第二接続筒部８１の延在方向（図では第一中心線Ｌ１）と直交する断面視で真円形状を有する。
【００８７】
第二折り返し部８２は、外甲介腔１０１に収容可能なチューリップ型を有する。第二折り返し部８２は、第二接続筒部８１の先端部からスピーカ２へ近づくに従って漸次拡径する第二拡径筒部８２ａと、第二拡径筒部８２ａにおいてスピーカ２側の端部からスピーカ２に近づくに従って漸次縮径する第二縮径筒部８２ｂと、を備える。第二折り返し部８２は、第二接続筒部８１の延在方向（図では第一中心線Ｌ１）と直交する断面視で、第二接続筒部８１よりも大きい外径を有する真円形状（第二接続筒部８１よりも大径かつ薄肉の真円環状）を有する。
【００８８】
耳甲介当接部８０は、第一音通筒体４の開口を塞ぐ閉塞部８３と、複数の凹部８４と、を有する。
閉塞部８３は、第二接続筒部８１において第一音通孔４０を塞ぐ部分である。すなわち、閉塞部８３は、第二接続筒部８１において第一音通孔４０と外部空間とを仕切る部分である。
【００８９】
図２に示すように、凹部８４は、３つ設けられている。第二接続筒部８１の延在方向（図では第一中心線Ｌ１）に沿う方向から見て、凹部８４は円形状を有する。３つの凹部８４は、互いに実質的に同じ形状を有する。３つの凹部８４は、第一中心線Ｌ１の回りに実質的に等間隔に配置されている。３つの凹部８４は、第二接続筒部８１の中心を対称軸として３回転対称に配置されている。すなわち、３つの凹部８４は、デルタ配置（トライアングル配置）とされている。
【００９０】
図４に示すように、ヨーク１０の軸線Ｌｙに沿う方向における外耳道当接部７０の外端と耳甲介当接部８０の外端との間の距離Ｈ１を「軸方向全長Ｈ１」ともいう。軸方向全長Ｈ１は、第一音通筒体４に第二イヤーチップ８を装着し、第二音通筒体５に第一イヤーチップ７を装着したときのイヤホン１の軸方向の全長を意味する。軸方向全長Ｈ１は、１８ｍｍ以上３０ｍｍ以下に設定されている。イヤホン１の装着安定性向上および外部雑音侵入抑制の効果を発揮する観点からは、軸方向全長Ｈ１は、２３ｍｍ以上２５ｍｍ以下に設定されることが好ましい。例えば本実施形態では、軸方向全長Ｈ１は２４ｍｍ程度に設定されている。
【００９１】
＜等価回路＞
図１１は、実施形態に係るイヤホン１を振動膜側から試聴するときの等価回路図である。図１２は、実施形態の係るイヤホン１をヨーク側から試聴するときの等価回路図である。
図中において、符号Ｃ１は振動膜９と第一カバー２０とで囲まれた振動膜９側の容積（電気回路における容量）、符号Ｃ２は軸方向において振動膜９とは反対側の容積（ヨーク１０内部の容積を含む振動膜９の後ろ側の容積）、符号Ｒ１は第一カバー２０の内側に設けられた第一音響抵抗材２５の抵抗（電気回路における抵抗）、符号Ｒ２は第二カバー３０の内側に設けられた第二音響抵抗材３５の抵抗、符号Ｉｍは使用者の耳側のインピーダンス、符号Ｔｒは理想トランスをそれぞれ示す。容積Ｃ２にはヨーク１０内部の容積も含まれるため、容積Ｃ２は容積Ｃ１よりも必然的に大きくなる（Ｃ２＞Ｃ１）。
【００９２】
＜周波数特性＞
Ｃ２＞Ｃ１により、振動膜９側（Ｒ１，Ｃ１側）から試聴した時とヨーク１０側（Ｒ２，Ｃ２側）から試聴した時とで異なる周波数特性を有する。
まず、Ｒ１をＲ２と実質的に同じとした場合（Ｒ１≒Ｒ２）について説明する。
Ｒ１≒Ｒ２の場合に振動膜９側から試聴した時は、低音域から中音域にかけてフラットな周波数特性を有する。このようなフラット型は、一般的に、クラシック音楽等を再生する際に好適である。
Ｒ１≒Ｒ２の場合にヨーク１０側から試聴した時は、中音域が低下し、低音域および高音域が盛り上がる、いわゆるドンシャリ型の周波数特性を有する。ドンシャリ型は、低音域および高音域が強調されるため、例えばロックミュージック型の比較的派手な音楽を再生する際に好適である。
【００９３】
次に、Ｒ１をＲ２よりも小さくした場合（Ｒ１＜Ｒ２）について説明する。
Ｒ１＜Ｒ２の場合に振動膜９側から試聴した時は、低域が低下することにより、音声帯域の明瞭度が増す周波数特性を有する。そのため、語学学習等の音声帯域の試聴に好適である。
Ｒ１＜Ｒ２の場合にヨーク１０側から試聴した時は、Ｒ２の音響抵抗値を大きくするに従って低音域の量感が増す。
【００９４】
図１３は、実施形態に係るイヤホン１を試聴した際の音波の周波数特性を示す図である。図１３は、同じスピーカ２を両面側から試聴したときの音波の周波数特性の測定結果を示す。図１３は、Ｒ１＜Ｒ２の場合の周波数特性を示す。周波数測定器は、使用者の耳の形状を模造した人工耳において音波の周波数を測定するものを用いた。図１３において、横軸は音波の周波数［Ｈｚ］、縦軸は音波の音圧レベル［ｄＢ］である。図１３において、グラフＳ１（実線）は振動膜９側から試聴したときの周波数特性、グラフＳ２（破線）はヨーク側から試聴したときの周波数特性をそれぞれ示す。
【００９５】
図１３に示すように、振動膜９側から試聴したとき、２〜４ＫＨｚ付近の音圧レベルが最も高く、低音域、高音域共に音圧レベルが低く、音声帯域が明瞭に聞こえるような周波数特性を有する（グラフＳ１参照）。
一方、ヨーク１０側から試聴したとき、低音域、高音域が盛り上がり、いわゆるドンシャリ型の周波数特性を有する（グラフＳ２参照）。
【００９６】
＜作用＞
以下、本実施形態のイヤホン１の作用について説明する。
図１４は、実施形態に係るイヤホン１の左耳での第一使用状態の説明図である。図１５は、実施形態に係るイヤホン１の左耳での第二使用状態の説明図である。図１６は、比較例に係るイヤホン１Ｘの左耳での使用状態の説明図である。
まず、比較例について説明する。
図１６に示すように、比較例に係るイヤホン１Ｘは、使用者の耳珠１０２、対珠１０３、耳甲介１０４で囲まれた耳甲介腔１０１内に、ヨーク１０Ｘを耳甲介１０４に近接させるようにしてケース３Ｘを挿入する構成を有する。比較例では、振動膜９Ｘを支持するヨーク１０Ｘと、ヨーク１０Ｘを収容するケース３Ｘと、を備える。ケース３Ｘは、ヨーク１０Ｘに面する部分に封数の音通孔１８Ｘを有する。図中符号１９Ｘは、ケース３Ｘにおいて使用者の耳に装着される部分（装着部）を示す。
【００９７】
次に、本実施形態について図７，図１４，図１５を参照して説明する。
本実施形態においては、イヤホン１は、第一中心線Ｌ１を有する第一音通筒体４と、第二中心線Ｌ２を有する第二音通筒体５と、を備える（図７参照）。第一中心線Ｌ１と第二中心線Ｌ２とのなす角度Ａ３は、１２０度である（図７参照）。外耳道１００には第一イヤーチップ７が装着されるとともに、耳甲介腔１０１に面する対珠１０３に連なる耳甲介１０４には第二イヤーチップ８が装着されるため、比較例よりも良好な装着安定性が得られる（図１４，図１５参照）。
加えて、本実施形態においては、イヤホン１を使用する際、第一連結筒部４２の長さ分だけ、第一音通筒体４を外耳道１００の奥へ入り込ませることができる。そのため、比較例よりも外耳道１００の奥の部分でイヤーチップ７を当接させることができる（図１４，図１５参照）。
【００９８】
以上説明したように、本実施形態に係るイヤホン１は、振動膜９と、振動膜９を支持するヨーク１０と、を有し、振動膜９の振動によって発音するスピーカ２と、スピーカ２を収容するケース３と、スピーカ２の振動膜９の側に設けられ、ケース３において振動膜９に面する部分から振動膜９のヨーク１０とは反対側へ向けて突出する筒状をなすとともに、スピーカ２によって発音された音を使用者の耳における外耳道１００に伝搬させるための第一音通筒体４と、スピーカ２のヨーク１０の側に設けられ、ケース３においてヨーク１０に面する部分からヨーク１０の振動膜９とは反対側へ向けて突出する筒状をなすとともに、スピーカ２によって発音された音を外耳道１００に伝搬させるための第二音通筒体５と、を備える。
この構成によれば、イヤホン１を使用する際、第一音通筒体４および第二音通筒体５のいずれかを選択して外耳道１００に挿入することができる。したがって、挿入式イヤホンとしてスピーカ２の振動膜９側とヨーク１０側との両方から試聴可能な両面試聴イヤホン１を提供することができる。
【００９９】
上記実施形態では、第一音通筒体４および第二音通筒体５の一方を外耳道１００に挿入した第一使用状態において第一音声帯域の音質とするとともに、第一音通筒体４および第二音通筒体５の他方を外耳道１００に挿入した第二使用状態において第一音声帯域とは異なる第二音声帯域の音質とすることで、以下の効果を有する。
イヤホン１を使用する際、２種類の音質が得られる。例えば、一方から試聴する場合は再生音帯域の広い音楽試聴用の音質とし、他方から試聴する場合は音声帯域が聞きやすい語学学習用の音質とすることができる。
【０１００】
上記実施形態では、第一音通筒体４は、第一音通筒体４を外耳道１００に挿入した第一使用状態において外耳道１００の内壁に当接するための外耳道当接部７０が設けられ、外耳道１００に指向する第一支持筒部４１と、ケース３において振動膜９に面する部分と外耳道当接部７０との位置関係を保持するように第一支持筒部４１とケース３とを連結する第一連結筒部４２と、を備えることで、以下の効果を有する。
イヤホン１を第一使用状態で使用する際、第一連結筒部４２の長さ分だけ、第一支持筒部４１を外耳道１００の奥へ入り込ませることができるため、外部雑音の侵入を更に抑制することができる。例えば、弾性材料で形成された耳甲介当接部８０を有する場合、対珠側の耳甲介側壁に対する耳甲介当接部８０の弾性反発力により、第一支持筒部４１を外耳道側へ押し込むことができる。
【０１０１】
上記実施形態では、第二音通筒体５は、第二音通筒体５を外耳道１００に挿入した第二使用状態において外耳道１００の内壁に当接するための外耳道当接部７０が設けられ、外耳道に指向する第二支持筒部５１と、ケース３においてヨーク１０に面する部分と外耳道当接部７０との位置関係を保持するように第二支持筒部５１とケース３とを連結する第二連結筒部５２と、を備えることで、以下の効果を有する。
イヤホン１を第二使用状態で使用する際、第二連結筒部５２の長さ分だけ、第二支持筒部５１を外耳道１００の奥へ入り込ませることができるため、外部雑音の侵入を更に抑制することができる。例えば、弾性材料で形成された耳甲介当接部８０を有する場合、対珠側の耳甲介側壁に対する耳甲介当接部８０の弾性反発力により、第二支持筒部５１を外耳道側へ押し込むことができる。
【０１０２】
上記実施形態では、第一音通筒体４および第二音通筒体５の一方を外耳道１００に挿入した使用状態において、第一音通筒体４および第二音通筒体５の前記一方は、ヨーク１０の軸線Ｌｙにおいてケース３と重なる部分Ｌｙよりも片側にオフセットするとともに、ケース３から外耳道１００に向けて傾斜して延びていることで、以下の効果を有する。
イヤホン１を使用する際、使用者の外耳道１００に沿って自然な角度で第一音通筒体４および第二音通筒体５の一方を外耳道１００へ挿入することができるため、装着安定性を向上することができる。例えば、図７に示すように、外耳道当接部７０および耳甲介当接部８０を有する場合、対珠側の耳甲介側壁に対して耳甲介当接部８０が第一中心線Ｌ１に沿う方向の力を受けると、第一中心線Ｌ１と第二中心線Ｌ２とがなす角度Ａ３に応じて紙面右方向（外耳道へ向かう方向）へ力（第一中心線Ｌ１に沿う方向の力の分力）が作用する。使用者の耳の形状は多種多様であるが、第一中心線Ｌ１に沿う方向の力およびその分力を外耳道当接部７０および耳甲介当接部８０で受けることにより、装着安定性を向上することができる。
【０１０３】
上記実施形態では、第一音通筒体４の中心を通る第一中心線Ｌ１とヨーク１０の軸線Ｌｙとのなす角度をＡ１とし、第二音通筒体５の中心を通る第二中心線Ｌ２と前記軸線Ｌｙとのなす角度をＡ２とし、第一中心線Ｌ１と第二中心線Ｌ２とのなす角度をＡ３としたとき、角度Ａ１および角度Ａ２のそれぞれは０度以上９０度以下であり、角度Ａ３は９０度以上１５０度以下であることで、以下の効果を有する。
角度Ａ３が９０度以上１５０度以下の範囲で使用者のニーズに合わせて角度を設定することができる。
【０１０４】
上記実施形態では、第一音通筒体４および第二音通筒体５の一方に設けられ、外耳道１００の内壁に当接するための外耳道当接部７０と、第一音通筒体４および第二音通筒体５の他方に設けられ、スピーカ２とは反対側に向けて凸の湾曲状をなして膨出するとともに、使用者の耳甲介腔１０１に面する対珠１０３に連なる耳甲介１０４に当接するための耳甲介当接部８０と、を備えることで、以下の効果を有する。
イヤホン１を使用する際、外耳道当接部７０を外耳道１００の内壁に当接させつつ、耳甲介当接部８０を耳甲介１０４に広い範囲で接触させやすいため、装着安定性を更に向上することができる。
【０１０５】
上記実施形態では、耳甲介当接部８０は、第一音通筒体４および第二音通筒体５の他方の開口を塞ぐ閉塞部８３を有することで、以下の効果を有する。
閉塞部８３によってスピーカ２から発音された音が遮断されるため、第一音通筒体４および第二音通筒体５の他方の開口からの音漏れを抑制することができる。
【０１０６】
上記実施形態では、耳甲介当接部８０は、複数の凹部８４を有することで、以下の効果を有する。
複数の凹部８４によって耳甲介当接部８０を耳甲介１０４により一層柔らかく接触させることができるため、装着安定性を更に向上することができる。加えて、複数の凹部８４の分だけ肉が取られるため、材料費を低減することができる。
【０１０７】
上記実施形態では、第一音通筒体４および第二音通筒体５の一方に着脱可能に設けられ、外耳道当接部７０を有する第一イヤーチップ７と、第一音通筒体４および前記第二音通筒体５の他方に着脱可能に設けられ、耳甲介当接部８０を有する第二イヤーチップ８と、を備えることで、以下の効果を有する。
イヤホン１を使用する際、第一音通筒体４および第二音通筒体５の一方を選択して第一イヤーチップ７を装着し外耳道に挿入するとともに、第一音通筒体４および第二音通筒体５の他方を選択して第二イヤーチップ８を装着し耳甲介に接触させることができる。したがって、使用者のニーズに合わせてスピーカ２の振動膜９側とヨーク１０側との両方から試聴可能となる。
【０１０８】
上記実施形態では、外耳道当接部７０および耳甲介当接部８０は、弾性材料で形成されていることで、以下の効果を有する。
イヤホン１を使用する際、耳の形状（外耳道１００、対珠１０３および耳甲介１０４の形状）に沿うように外耳道当接部７０および耳甲介当接部８０を弾性変形させることができるため、装着安定性がより一層向上する。
【０１０９】
上記実施形態では、弾性材料は、シリコーンゴムであることで、以下の効果を有する。
シリコーンゴムは、生体適合性、耐熱性、耐薬品性、撥水性、電気絶縁性などに優れているため、弾性材料として好適である。
【０１１０】
上記実施形態では、弾性材料のゴム硬度は、Ａ７０以下であることで、以下の効果を有する。
イヤホン１を使用する際、耳の形状（外耳道１００、対珠１０３および耳甲介１０４の形状）に沿うように外耳道当接部７０および耳甲介当接部８０をより柔軟に弾性変形させることができるため、耳への圧迫感を軽減し、装着安定性がより一層向上する。
【０１１１】
上記実施形態では、ヨーク１０の軸線Ｌｙに沿う方向における外耳道当接部７０の外端と耳甲介当接部８０の外端との間の距離Ｈ１は、１８ｍｍ以上であることで、以下の効果を有する。
前記距離Ｈ１が１８ｍｍ未満の場合と比較して、外耳道当接部７０が外耳道１００の入口外縁部により強く押し付けられ、外耳道１００の入口外縁部と外耳道当接部７０とが密着するため、音漏れの原因となる隙間が生じることを抑制することができる。
【０１１２】
上記実施形態では、第一音通筒体４および第二音通筒体５の一方を外耳道１００に挿入した第一使用状態においてコード６０が使用者の耳に対して頭頂部側に引き出されるようにコード６０を支持するとともに、第一音通筒体４および第二音通筒体５の他方を外耳道１００に挿入した第二使用状態においてコード６０が使用者の耳に対して顎部側に引き出されるようにコード６０を支持するコード支持部６を備えることで、以下の効果を有する。
イヤホン１を使用する際、コード６０を使用者の耳たぶに掛けたり、コード６０を下側に出したりする等、任意の使用方法に対応することが可能となる（図１７，図１８参照）。例えば、コード６０を耳たぶに掛けた場合（図１８参照）は、コード６０の機械的な伝導ノイズを大幅に減らすことが可能となるため、語学学習時など集中して試聴したいときに好適である。
【０１１３】
上記実施形態では、ケース３は、スピーカ２を振動膜９の側から覆うとともに、第一音通筒体４が連結される第一カバー２０と、スピーカ２をヨーク１０の側から覆うとともに、第二音通筒体５が連結される第二カバー３０と、を備えることで、以下の効果を有する。
第一カバー２０と第二カバー３０とを別個独立に製造することができるため、製造効率を向上することができる。
【０１１４】
上記実施形態では、コード支持部６は、左耳用と右耳用とで異なる色を有することで、以下の効果を有する。
コード支持部６を視認することにより、左耳用か右耳用かを容易に判別することができる。
【０１１５】
上記実施形態では、コード６０を支持する筒状をなし、コード６０を一端側から引き出すコード支持部６と、コード支持部６においてコード６０が引き出される側とは反対側の端部に設けられたマイクロフォン９０と、を備えることで、以下の効果を有する。
マイクロフォン９０によって、周囲から収音した音を増幅したり、周囲から外耳道１００に侵入した主に高音域の雑音を低減したりすることができる。
例えば、マイクロフォン９０によって周囲から収音した音を増幅し、音声帯域が明瞭に聞こえるような周波数特性で試聴する場合は、難聴者の会話、テレビ視聴等に有効である。
例えば、マイクロフォン９０をアクティブ・ノイズ・キャンセルに応用した場合、以下の（１）、（２）の効果を有する。
（１）外耳道当接部７０と外耳道１００の内壁との安定的な接触により、高音域の周囲雑音は基本的に低減される。
（２）アクティブ・ノイズ・キャンセルにより主に低音域の雑音を低減するよう構成することにより、マイクロフォン９０とスピーカ２との位相差により発生する高音域の雑音の影響を受けることなく、一般的なノイズキャンセル・イヤホンと比較して、良好なノイズ・キャンセル効果を得ることができる。
本実施形態では、外耳道当接部７０と外耳道１００の内壁との安定的な接触により、本来持っている主に高音域の雑音を低減することに加え、マイクロフォン９０によって周囲から収音した音を増幅することができる。
【０１１６】
＜変形例＞
上記実施形態では、第一音通筒体４および第二音通筒体５の一方に着脱可能に設けられ、外耳道当接部７０を有する第一イヤーチップ７と、第一音通筒体４および前記第二音通筒体５の他方に着脱可能に設けられ、耳甲介当接部８０を有する第二イヤーチップ８と、を備える例を挙げて説明したが、これに限らない。
例えば、外耳道当接部７０（第一イヤーチップ７）は、第一音通筒体４および第二音通筒体５の一方と同一の部材で一体に形成されていてもよい。例えば、耳甲介当接部８０（第二イヤーチップ８）は、第一音通筒体４および第二音通筒体５の他方と同一の部材で一体に形成されていてもよい。
この構成によれば、外耳道当接部７０（第一イヤーチップ７）および耳甲介当接部８０（第二イヤーチップ８）が第一音通筒体４および第二音通筒体５の一方に着脱可能に設けられた場合と比較して、外耳道当接部７０および耳甲介当接部８０の紛失を防止することができる。加えて、外耳道当接部７０および耳甲介当接部８０の耳への接触面積を増やすことができるため、装着安定性が向上する。
【０１１７】
上記実施形態では、外耳道当接部７０は、第二音通筒体５の延在方向と直交する断面視で真円形状を有する例を挙げて説明したが、これに限らない。
例えば、図１９に示すように、外耳道当接部２７０（第一接続筒部２７１）は、外耳道当接部２７０を外耳道に挿入した使用状態において、第二音通筒体５の延在方向から見て、使用者の耳珠１０２と対珠１０３とが対向する方向と直交する方向（図の紙面上下方向）に延びる楕円形状を有していてもよい。
この構成によれば、外耳道当接部２７０が前記楕円形状を有する場合、一般的な外耳道１００の形状に合うため、前記延在方向から見て外耳道当接部７０が真円形状を有する場合（図１０参照）と比較して、外耳道１００への圧迫感を軽減し、装着安定性をより一層向上することができる。
【０１１８】
上記実施形態では、第一折り返し部７２は、第一接続筒部７１の延在方向と直交する断面視で真円形状（真円環状）を有する例を挙げて説明したが、これに限らない。
例えば、図１９に示すように、第一折り返し部２７２は、外耳道当接部２７０を外耳道１００に挿入した使用状態において、第一接続筒部２７１の延在方向から見て、使用者の耳珠１０２と対珠１０３とが対向する方向と直交する方向（図の紙面上下方向）に延びる楕円形状を有していてもよい。これにより、装着安定性をより一層向上することができる。
【０１１９】
上記実施形態では、コード支持部６は、左耳用と右耳用とで互いに異なる色を有する例を挙げて説明したが、これに限らない。
例えば、ケース３は、左耳用と右耳用とで互いに異なる色を有していてもよい。例えば、イヤホン全体は、左耳用と右耳用とで互いに異なる色を有していてもよい。すなわち、イヤホンの少なくとも一部は、左耳用と右耳用とで互いに異なる色を有していてもよい。
または、イヤホン全体は、左耳用と右耳用とで互いに同じ色を有していてもよい。
【０１２０】
上記実施形態では、イヤホン１は、コード支持部６においてコード６０が引き出される側とは反対側の端部に設けられたマイクロフォン９０を備える例を挙げて説明したが、これに限らない。
例えば、イヤホン１は、マイクロフォン９０を有しなくてもよい。例えば、コード支持部６においてコード６０が引き出される側とは反対側の端部には、キャップが着脱可能に取り付けられていてもよい。
【０１２１】
上記実施形態では、第一音通筒体４および第二音通筒体５の一方を外耳道１００に挿入した使用状態において、第一音通筒体４および第二音通筒体５の前記一方は、ヨーク１０の軸線Ｌｙにおいてケース３と重なる部分Ｌｙよりも片側にオフセットする例を挙げて説明したが、これに限らない。
例えば、第一音通筒体４および第二音通筒体５の前記一方は、ヨーク１０の軸線Ｌｙにおいてケース３と重なる部分Ｌｙからオフセットしていなくてもよい。例えば、第一音通筒体４および第二音通筒体５の前記一方は、ヨーク１０の軸線Ｌｙと全体的に重なっていてもよい。
【０１２２】
上記実施形態では、第一音通筒体４および第二音通筒体５の一方は、単一のサイズの第一イヤーチップ７が着脱可能とされ、第一音通筒体４および第二音通筒体５の他方は、単一のサイズの第二イヤーチップ８が着脱可能とされている例を挙げて説明したが、これに限らない。
例えば、図２０に示すように、第一音通筒体４および第二音通筒体５の一方は、複数種類のサイズの第一イヤーチップ７Ｓｍ，７Ｍｉ，７Ｌａが着脱可能とされていてもよい。複数種類のサイズの第一イヤーチップ７Ｓｍ，７Ｍｉ，７Ｌａは、Ｓサイズの第一イヤーチップ７Ｓｍ、Ｍサイズの第一イヤーチップ７Ｍｉ、およびＬサイズの第一イヤーチップ７Ｌａである。図では、Ｍサイズの第一イヤーチップ７Ｍｉを実線で示し、Ｓサイズの第一イヤーチップ７ＳｍおよびＬサイズの第一イヤーチップ７Ｌａを二点鎖線でそれぞれ示している。
第一音通筒体４および第二音通筒体５の他方は、複数種類のサイズの第二イヤーチップ８Ｓｍ，８Ｍｉ，８Ｌａが着脱可能とされていてもよい。複数種類のサイズの第二イヤーチップ８Ｓｍ，８Ｍｉ，８Ｌａは、Ｓサイズの第二イヤーチップ８Ｓｍ、Ｍサイズの第二イヤーチップ８Ｍｉ、およびＬサイズの第二イヤーチップ８Ｌａである。図では、Ｍサイズの第二イヤーチップ８Ｍｉを実線で示し、Ｓサイズの第二イヤーチップ８ＳｍおよびＬサイズの第二イヤーチップ８Ｌａを二点鎖線でそれぞれ示している。
これにより、イヤホンを使用する際、使用者の耳の大きさに合うように第一イヤーチップ７Ｓｍ，７Ｍｉ，７Ｌａおよび第二イヤーチップ８Ｓｍ，８Ｍｉ，８Ｌａを任意に選択することができるため、使用者にとって快適な装着感を得ることができる。
なお、複数種類のサイズの第一イヤーチップおよび第二イヤーチップは、上記サイズ（Ｓ、Ｍ、Ｌ）に限らず、ＳＳサイズ、ＬＬサイズなどの他のサイズを含んでいてもよい。
【０１２３】
なお、上記実施形態は、例として提示したものであり、発明の範囲を限定することは意図していない。上記実施形態は、その他の様々な形態で実施されることが可能であり、発明の要旨を逸脱しない範囲で、種々の省略、置き換え、組み合わせ、変更が可能である。上記実施形態とその変形は、発明の範囲と発明の要旨に含まれると同様に、特許請求の範囲に記載された発明とその均等の範囲に含まれるものである。
【符号の説明】
【０１２４】
１…イヤホン（両面試聴イヤホン）
２…スピーカ
３…ケース
４…第一音通筒体
５…第二音通筒体
６…コード支持部
７…第一イヤーチップ
７Ｓｍ…Ｓサイズの第一イヤーチップ（第一イヤーチップ）
７Ｍｉ…Ｍサイズの第一イヤーチップ（第一イヤーチップ）
７Ｌａ…Ｌサイズの第一イヤーチップ（第一イヤーチップ）
８…第二イヤーチップ
８Ｓｍ…Ｓサイズの第二イヤーチップ（第二イヤーチップ）
８Ｍｉ…Ｍサイズの第二イヤーチップ（第二イヤーチップ）
８Ｌａ…Ｌサイズの第二イヤーチップ（第二イヤーチップ）
９…振動膜
１０…ヨーク
２０…第一カバー
３０…第二カバー
４１…第一支持筒部
４２…第一連結筒部
５１…第二支持筒部
５２…第二連結筒部
６０…コード
７０…外耳道当接部
８０…耳甲介当接部
８３…閉塞部
８４…凹部
９０…マイクロフォン
１００…外耳道
１０１…耳甲介腔
１０２…耳珠
１０３…対珠
１０４…耳甲介
２７０…外耳道当接部
Ａ１…第一中心線とヨークの軸線とのなす角度
Ａ２…第二中心線とヨークの軸線とのなす角度
Ａ３…第一中心線と第二中心線とのなす角度
Ｈ１…軸方向全長（ヨークの軸線に沿う方向における外耳道当接部の外端と耳甲介当接部の外端との間の距離）
Ｌｒ…ヨークの軸線においてケースと重なる部分
Ｌｙ…ヨークの軸線
Ｌ１…第一中心線
Ｌ２…第二中心線
【図１】
2020195072.tif 000003
【図２】
2020195072.tif 000004
【図３】
2020195072.tif 000005
【図４】
2020195072.tif 000006
【図５】
2020195072.tif 000007
【図６】
2020195072.tif 000008
【図７】
2020195072.tif 000009
【図８】
2020195072.tif 000010
【図９】
2020195072.tif 000011
【図１０】
2020195072.tif 000012
【図１１】
2020195072.tif 000013
【図１２】
2020195072.tif 000014
【図１３】
2020195072.tif 000015
【図１４】
2020195072.tif 000016
【図１５】
2020195072.tif 000017
【図１６】
2020195072.tif 000018
【図１７】
2020195072.tif 000019
【図１８】
2020195072.tif 000020
【図１９】
2020195072.tif 000021
【図２０】
2020195072.tif 000022